(57)【要約】【課題】照明器具の設置スペースを縮小でき、また保守点検作業の負担を低減する。【解決手段】循環走行する踏段５を支持する主枠４の外側に取付けられた外装板９または１０に、外装板９または１０の外側を照らす照明器具１２を配設する。この照明器具１２は、例えば管径が４ｍｍ前後と細く、寿命も長いという特性を有する冷陰極管１１を光源とし、外装板９または１０に嵌め込んで配設する。【選択図】  図２
2004189478.tif 000002
【特許請求の範囲】
【請求項１】
循環走行する踏段を支持する主枠と、この主枠の外側に取付けられた外装板と、この外装板に配設され外方を照らす冷陰極管を光源とする照明器具とを備えてなるエスカレータ。
【請求項２】
前記照明器具は、前記主枠の底部または側部に設けられた外装板に配設されていることを特徴とする請求項１に記載のエスカレータ。
【請求項３】
前記外装板の少なくとも一部を光が透過可能で公告表示を施した表示板で構成し、この表示板の内側に前記照明器具が配設されていることを特徴とする請求項１に記載のエスカレータ。
【請求項４】
前記主枠の底部に設けられる外装板の少なくとも一部が導光板でなり、この導光板の側辺に照明器具が配設されていることを特徴とする請求項１または２に記載のエスカレータ。
【請求項５】
それぞれ循環走行する踏段を支持して併設された主枠と、これら主枠の外側にそれぞれ取付けられた外装板と、隣合う外装板間に設けられた支持部材と、この支持部材に取付けられた、冷陰極管を光源とする照明器具とを備えてなるエスカレータ。
【請求項６】
循環走行する踏段を支持する主枠と、この主枠の外側に取付けられた外装板と、この外装板に配設され外方を照らすＬＥＤまたは有機ＥＬを光源とする照明器具とを備えてなるエスカレータ。
【発明の詳細な説明】
【０００１】
【発明の属する技術分野】
本発明は、照明器具を備えたエスカレータに関する。
【０００２】
【従来の技術】
エスカレータは、無端状に連結された多数の踏段が、上下の階床間に傾斜して設けられたガイドレールに案内されて循環走行するもので、踏段に乗った利用客を移動させるようになっている。
【０００３】
踏段を案内支持するガイドレールは、主枠内に設けられており、この主枠には踏段の幅方向両側に一対の欄干が立設され、この一対の欄干にそれぞれ踏段と同一速度で同一方向に移動する手すりベルトが設けられている。これら踏段や手すりベルトは、主枠内に配置された駆動装置により駆動され、駆動装置は制御装置により制御されるようになっている。
【０００４】
【発明が解決しようとする課題】
ところで、従来、エスカレータは、循環走行する踏段を支持する主枠の外側に外装板が取付けられている。外装板には外部を照らす照明器具が取付けられるが、この照明器具は、蛍光灯から構成され、主枠と外装板の間に配置される構成が一般的である。
【０００５】
しかしながら、このような構成においては、主枠と外装板との間が狭く、その間に照明器具を設置するには、主枠と外装板との間に大きなスペースを確保する必要があった。
【０００６】
また蛍光灯は、定期的に清掃および交換を行なう必要があり、しかもその保守作業は、下方のエスカレータの踏段上に脚立を設置したり、はしごを掛けたりして行なう必要があり、大掛かりなものとなっていた。
【０００７】
本発明は、上述の問題点を解決するためになされたもので、照明器具の設置スペースを縮小でき、また保守点検作業の負担を低減することができるエスカレータを提供することを目的とする。
【０００８】
【課題を解決するための手段】
本発明は上記の課題を解決するために、循環走行する踏段を支持する主枠の外側に取付けられた外装板に、当該外装板の外側を照らす、冷陰極管を光源とする照明器具を配設したことを特徴とする。冷陰極管はガラス管のような透明な外囲器内壁に蛍光体層を有して、管内ガスを放電し、生じる紫外線により蛍光体層を励起発光するもので、外囲器端の内外に冷陰極を配置する。
【０００９】
このように構成すれば、例えば管径が４ｍｍ前後と細く、寿命も長いという冷陰極管の特性を利用して、主枠と外装板との間に大きなスペースを確保することなく照明器具を設置することができ、しかも保守点検作業もエスカレータの寿命までほとんど行なう必要がない。
【００１０】
この場合、照明器具は、主枠の底部に設けられた外装板に配設したり、主枠の側部に設けられた外装板に配設したりすることができる。
【００１１】
また照明器具を、主枠の底部に設けられた外装板の外側に配設することにより、既設のエスカレータにも後付けで設置することができる。
【００１２】
さらに外装板の少なくとも一部を光が透過可能で公告表示を施した表示板で構成し、この表示板の内側に冷陰極管を光源とする照明器具を配設することにより、照明器具を公告宣伝に利用することができる。
【００１３】
また主枠に設けられる外装板の少なくとも一部が導光板になっておりこの導光板の側辺照明器具を配設することにより、外装板が省略でき、エスカレータの高さ寸法および幅寸法を縮小することができる。
【００１４】
さらにエスカレータが併設されている場合には、それぞれ主枠に取付けられた外装板のうち、隣合う外装板間に支持部材を設け、この支持部材に、冷陰極管を光源とする照明器具を配設することにより、併設されたエスカレータ間の間隔を大きくすることなく照明器具を設置することができる。
【００１５】
【発明の実施の形態】
以下、本発明の実施の形態を説明する。図１は本発明の第１実施の形態に係るエスカレータの設置状態を示す概略斜視図であり、図２は図１に示す１台のエスカレータの概略縦断面図である。
【００１６】
図１および図２において、上階と下階に跨ってエスカレータ１ないし３がそれぞれ設置されている。このエスカレータ１ないし３には、それぞれ主枠４が設けられ、この主枠４内に設けられた、図示しないガイドレールに案内支持されて多数の踏段５が循環走行するようになっている。
【００１７】
主枠４は、長手方向一端部の上階機械室内に、図示しない駆動装置が設けられ、この駆動装置には、伝達継手、減速機構を介して動力駆動チェーンが連結され、この駆動チェーンにより駆動スプロケットが駆動されるようになっている。主枠４の長手方向他端部の下階機械室内には、図示しない従動スプロケットが設けられ、この駆動スプロケットと従動スプロケットとに無端状の踏段チェーンが巻き掛けられ、この踏段チェーンに多数の踏段５が等ピッチで連結されている。
【００１８】
踏段５は、その前後に前輪および後輪が取付けられており、これら前輪および後輪を介して主枠４内に設けられた往路ガイドレール、帰路ガイドレールおよび反転ガイドレールからなるガイドレールに案内支持されることにより、多数の踏段５は、踏段チェーンの移動に連動して循環走行するようになっている。
【００１９】
踏段５が反転する位置の近傍は、利用客の乗降口となり、乗降口の主枠４上には乗降板６が設けられている。
【００２０】
主枠４の幅方向両側には欄干７が立設され、この欄干７の上部には多数の踏段５と同期して走行する手すりベルト８が設けられている。これら手すりベルト８および踏段５は、上階機械室内に設置された制御装置により駆動制御される。
【００２１】
主枠４の底部および側部には複数枚の外装板９，１０が取付けられている。この外装板９，１０のうち、底部に設けられた外装板１０には、冷陰極管１１を光源とし、表面側に光を透過する透明または半透明な材料からなる保護板１２ａが設けられた照明器具１２が嵌め込まれ、外装板１０の外側を照らすようになっている。この照明器具１２の冷陰極管１１は、管径が４ｍｍ前後と小径であり、寿命が長いという特性があり、この特性を利用して主枠４と外装板１０の間に配設されている。冷陰極管１１は、ガラス管の内側に電極があるタイプあるいはガラス管の外側に電極があるタイプのいずれでも採用できる。この冷陰極管１１を点灯するための電源は、エスカレータの制御回路用電源を利用することができ、また一般電源のコンセントから供給を受けることもできる。
【００２２】
図３は、冷陰極管１１の駆動回路の一例を示すブロック図である。駆動回路は、電源回路１３、スイッチング回路１４、発振回路１５、高圧トランス１６を備え、さらに光検知器１７、パルス回路１８を備えている。光検知器１７は、周囲の明るさに応じた調光信号を出力し、パルス回路１８はその調光信号を受け、調光信号に応じてデューティ比を可変するパルス信号を出力する。電源回路１３はエスカレータの制御電源等から供給された電力に基づき一定の電圧の電源を供給する。スイッチング回路１４は、電源回路１３からの電源を、パルス回路１８のパルス信号に基づき制御して発振回路１５へ供給する電源の入り切りを行なう。発振回路１５は、正弦波を発生し、高圧トランス１６に加えられる。高圧トランス１６は、冷陰極管１１の点灯に必要な電圧を発生し、冷陰極管１１は、電圧が加えられた期間だけ発光する。
【００２３】
このようにして、冷陰極管１１の、例えば管径が４ｍｍ前後と細く、寿命も長いという特性を利用して、冷陰極管１１を光源とする照明器具１２を構成し、外装板１０に嵌め込んで設置することにより、外装板１０と主枠４との間のスペースを小さくでき、しかも照明器具１２の交換、清掃等の保守点検作業も、エスカレータの寿命まで、ほとんど行なう必要がなく、大掛かりな作業設備を用意する必要もないので、負担を低減することができる。
【００２４】
図４は、本発明の第２実施の形態に係るエスカレータを示す概略縦断面図である。本実施の形態では、主枠４の側部に設けられる外装板９に、冷陰極管１１を光源とし、表面側に光を透過する透明または半透明な材料からなる保護板１２ａが設けられた照明器具１２を嵌め込んで、外装板９の外方を照らすようにしたものである。主枠４の側部と外装板９との間は狭く、従来、蛍光灯のような大きいものは設置できなかったが、本実施の形態のように、冷陰極管１１を光源とする照明器具１２を用いることにより、主枠４の側部に照明器具を設置することが可能となる。
【００２５】
図５は、本発明の第３実施の形態に係るエスカレータを示す概略縦断面図である。本実施の形態では、主枠４の側部に設けられる外装板９の一部に公告表示を施したアクリル板１９を嵌め込み、このアクリル板１９の内側に、冷陰極管１１を光源とする照明器具２０を配設して、外装板９の外側を照らすようにしたものである。照明器具２０により外部照明と公告宣伝を併せて行なうことができる。
【００２６】
図６は、本発明の第４実施の形態に係るエスカレータを示す概略縦断面図である。本実施の形態では、主枠４の低部に設けられる外装板１０の外側に、冷陰極管１１を光源とし、表面側に光を透過する透明または半透明な材料からなる保護板２１ａが設けられた照明器具２１を取付けて外装板９の外側を照らすようにしたものである。
【００２７】
このように構成すれば、既設のエスカレータにおける底部の外装板９に、後付けで照明器具２１を配設することができ、しかも設置スペースも大きく必要としない。
【００２８】
図７は、本発明の第５実施の形態に係るエスカレータを示す概略縦断面図である。本実施の形態では、主枠４の底部および側部に設けられる外装板９，１０に代えて、外装板の一部をアクリル樹脂板やガラス板などの導光板とし、その側辺に長尺の冷陰極管１１の光源を配置する。いわゆるエッジライト方式の照明器具２２を直接主枠４に取付けることにより、外装板９，１０を省略するようにしたものである。
【００２９】
エッジライト方式の照明器具２２は、透明な材料からなる導光板２３、この導光板２３の平板方向の端面に配設された冷陰極管１１、この冷陰極管１１の周囲に配設された光反射性のリフレクター２４、導光板２３の背面側に配設された光反射板２５、導光板２３の表面側に配設された光拡散板２６、これらを収納する保護ケース２７を有し、冷陰極管１１の光が導光板２３の側辺３０から進入し、導光板背面の反射板２５で反射されて光拡散板２６から出射するようになっている。
【００３０】
このようにすれば、外装板９，１０を使用することなく、エッジライト方式の照明器具２２を取付けることにより、エスカレータの高さ寸法および幅寸法を縮小し、ひいてはエスカレータを小型化することができる。
【００３１】
図８は、本発明の第６実施の形態に係るエスカレータを示す概略縦断面図である。本実施の形態では、エスカレータが併設されている場合において、それぞれ主枠４に取付けられた外装板９，１０のうち、隣合う外装板９，９間に支持部材２８を設け、この支持部材２８に、冷陰極管１１を光源とする照明器具２９を配設したものである。
【００３２】
このように構成することにより、併設されたエスカレータ間の間隔を大きくすることなく照明器具２９を設置することができる。
【００３３】
なお、光源として冷陰極管を用いたが、ＬＥＤ（半導体発光素子）や有機ＥＬ（エレクトロルミネセンス）を用いても良い。光源の発光色は白色に限らず設置場所、周囲環境、光量、時刻、季節等に応じて他の色を用いても良く、また、複数の色を用いること、発光体である冷陰極管、ＬＥＤ、有機ＥＬ等を適当にまぜて光源を構成しても良いことはもちろんである。つまり、本発明の目的を達成するものであれば光源としてはこれらの発光体を用いることができる。
【００３４】
【発明の効果】
以上説明したように、本発明のエスカレータによれば、冷陰極管、ＬＥＤ、有機ＥＬなどを光源とする照明器具を、主枠の外装板もしくは外装板に代えて設けるようにしたことにより、これらの光源の特性を利用して照明器具の設置スペースの縮小、ひいてはエスカレータを小型化でき、また保守点検作業の負担を低減することができる。
【図面の簡単な説明】
【図１】本発明の第１実施の形態に係るエスカレータの設置状態を示す概略斜視図である。
【図２】図１に示す１台のエスカレータの概略断面図である。
【図３】冷陰極管の駆動回路の一例を示すブロック図である。
【図４】本発明の第２実施の形態に係るエスカレータを示す概略縦断面図である。
【図５】本発明の第３実施の形態に係るエスカレータを示す概略縦断面図である。
【図６】本発明の第４実施の形態に係るエスカレータを示す概略縦断面図である。
【図７】本発明の第５実施の形態に係るエスカレータを示す概略縦断面図である。
【図８】本発明の第６実施の形態に係るエスカレータを示す概略縦断面図である。
【符号の説明】
１，２，３…エスカレータ
４…主枠
５…踏段
６…乗降板
７…欄干
８…手すりベルト
９，１０…外装板
１１…冷陰極管
１２ａ…保護板
１２，２１，２２，２９…照明器具
１３…電源回路
１４…スイッチング回路
１５…発振回路
１６…高圧トランス
１７…光検知器
１８…パルス回路
１９…アクリル板
２１ａ…保護板
２３…導光板
２４…リフレクター
２５…光反射板
２６…光拡散板
２７…保護ケース
２８…支持部材
【図１】
2004189478.tif 000003
【図２】
2004189478.tif 000004
【図３】
2004189478.tif 000005
【図４】
2004189478.tif 000006
【図５】
2004189478.tif 000007
【図６】
2004189478.tif 000008
【図７】
2004189478.tif 000009
【図８】
2004189478.tif 000010
【手続補正書】
【提出日】平成15年1月31日(2003.1.31)
【手続補正１】
【補正対象書類名】図面
【補正対象項目名】図７
【補正方法】変更
【補正の内容】
【図７】
2004189478.tif 000011